(57)【要約】【課題】視聴予約された番組を確実に視聴可能とする。【解決手段】デジタル放送受信機のＭＰＵ１１は、リモコン２を介してユーザからの操作を受け付けて、受け付けられた操作に基づいて番組の開始日時情報及び終了日時情報を設定する番組予約部１１１と、番組予約部１１１によって設定された開始日時に到達したか否かを判定する日時判定部１１２と、日時判定部１１２によって開始日時に到達したと判定された場合に、該放送受信装置が外部から視認可能にディスプレイに出力する状態である表示可能状態か否かを判定する表示可否判定部１１３と、表示可否判定部１１３によって表示可能状態ではないと判定された場合に、番組予約部１１１によって設定された番組を受信し、受信した番組をＤＶＤレコーダ３に対して録画させる予約録画部１１４と、を備えている。【選択図】図４
2008118507.tif 000002
【特許請求の範囲】
【請求項１】
テレビジョン放送を受信し、外部から視認可能にモニタに出力すると共に、受信した情報を格納するＤＶＤレコーダとＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を介して通信可能に接続されたデジタル放送受信機であって、
リモートコントローラを介して、外部からの操作を受け付けて、受け付けられた操作に基づいて番組の開始日時情報及び終了日時情報を設定する番組予約手段と、
前記番組予約手段によって設定された開始日時に到達したか否かを判定する日時判定手段と、
前記日時判定手段によって開始日時に到達したと判定された場合に、該デジタル放送受信機が外部から視認可能にモニタに出力する状態である表示可能状態か否かを判定する表示可否判定手段と、
前記表示可否判定手段によって表示可能状態ではないと判定された場合に、前記番組予約手段によって設定された番組を受信し、受信した番組を、前記ＨＤＭＩを介して前記ＤＶＤレコーダに対して録画させる予約録画手段と、
前記表示可否判定手段によって表示可能状態ではあると判定された場合に、前記番組予約手段によって設定された番組を受信し、受信した番組をモニタに出力する切換手段と、
を備えることを特徴とするデジタル放送受信機。
【請求項２】
テレビジョン放送を受信し、外部から視認可能にモニタに出力すると共に、受信した情報を格納する情報記録装置と通信可能に接続された放送受信装置であって、
外部からの操作を受け付けて、受け付けられた操作に基づいて番組の開始日時情報及び終了日時情報を設定する番組予約手段と、
前記番組予約手段によって設定された開始日時に到達したか否かを判定する日時判定手段と、
前記日時判定手段によって開始日時に到達したと判定された場合に、該放送受信装置が外部から視認可能にモニタに出力する状態である表示可能状態か否かを判定する表示可否判定手段と、
前記表示可否判定手段によって表示可能状態ではないと判定された場合に、前記番組予約手段によって設定された番組を受信し、受信した番組を前記情報記録装置に対して録画させる予約録画手段と、
を備えることを特徴とする放送受信装置。
【請求項３】
前記情報記録装置に対して、該情報記録装置を録画可能状態とする指示情報を通信可能に接続されていることを特徴とする請求項２に記載の放送受信装置。
【請求項４】
前記情報記録装置との間でＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を介して通信可能に接続され、
前記予約録画手段は、前記ＨＤＭＩを介して、前記番組予約手段によって設定された番組を前記情報記録装置に対して録画させることを特徴とする請求項３に記載の放送受信装置。
【請求項５】
前記情報記録装置との間で赤外線通信を介して通信可能に接続され、
前記予約録画手段は、前記赤外線通信を介して、前記番組予約手段によって設定された番組を前記情報記録装置に対して録画させることを特徴とする請求項３に記載の放送受信装置。
【請求項６】
前記情報記録装置と一体に構成されていることを特徴とする請求項３に記載の放送受信装置。
【請求項７】
前記表示可否判定手段によって表示可能状態であると判定された場合に、前記番組予約手段によって設定された番組を受信し、受信した番組をモニタに出力する切換手段を備えることを特徴とする請求項２〜請求項６のいずれかに記載の放送受信装置。
【発明の詳細な説明】
【技術分野】
【０００１】
本発明は、テレビジョン放送を受信し、外部から視認可能にモニタに出力すると共に、受信した情報を格納する情報記録装置と通信可能に接続された放送受信装置及びデジタル放送受信機に関する。特に、情報記録装置とＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を介して通信可能に接続されたデジタル放送受信機に関する。
【背景技術】
【０００２】
従来のアナログ放送では、チャンネル数が数個〜数十個程度であったが、近年普及しつつあるデジタル放送では、チャンネル数が数百にも及ぶ。そして、このように多チャンネル化が進むにつれて、膨大な数の番組が提供されるようになってきている。そこで、デジタル放送では、例えば番組表等の情報を電子番組表として送信し、放送受信機で受信した電子番組表の情報を再生し、これをモニタで表示可能としている。
【０００３】
視聴者等は、モニタに表示された番組表の番組枠を視聴予約することによって視聴予約が可能となる。また、更に視聴予約を容易化するために、種々の放送受信装置が提案されている。例えば、番組内容情報の文字列情報から任意の文字列を含む情報を検索し、検索された情報を一覧表として作成して、一覧表をモニタに表示させる放送受信装置が開示されている（特許文献１参照）。この放送受信装置によれば、視聴者等が視聴を希望する番組を容易に選択して視聴予約することができる。
【特許文献１】特開２０００−２９５５３８号公報
【発明の開示】
【発明が解決しようとする課題】
【０００４】
しかしながら、視聴予約がされている場合であっても、放送受信装置がスタンバイ状態等の視聴予約された番組がモニタに出力されない状態である場合には、視聴者等が視聴予約された番組を見逃す虞がある。例えば、視聴者等が何らかの事情により外出することになり、視聴予約がされていることを忘れており、放送受信装置がスタンバイ状態となっていた場合には、例え視聴予約に基づき、放送受信装置が視聴予約された番組をモニタに出力する状態になったとしても、視聴者等が視聴予約された番組を見逃すことになる。
【０００５】
本発明は、上記課題に鑑みてなされたものであって、視聴予約された番組を確実に視聴することのできる放送受信装置及びデジタル放送受信機を提供することを目的としている。
【課題を解決するための手段】
【０００６】
上記目的を達成するために請求項１に記載のデジタル放送受信機は、テレビジョン放送を受信し、外部から視認可能にモニタに出力すると共に、受信した情報を格納するＤＶＤレコーダとＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を介して通信可能に接続されたデジタル放送受信機であって、リモートコントローラを介して、外部からの操作を受け付けて、受け付けられた操作に基づいて番組の開始日時情報及び終了日時情報を設定する番組予約手段と、前記番組予約手段によって設定された開始日時に到達したか否かを判定する日時判定手段と、前記日時判定手段によって開始日時に到達したと判定された場合に、該デジタル放送受信機が外部から視認可能にモニタに出力する状態である表示可能状態か否かを判定する表示可否判定手段と、前記表示可否判定手段によって表示可能状態ではないと判定された場合に、前記番組予約手段によって設定された番組を受信し、受信した番組を、前記ＨＤＭＩを介して前記ＤＶＤレコーダに対して録画させる予約録画手段と、前記表示可否判定手段によって表示可能状態ではあると判定された場合に、前記番組予約手段によって設定された番組を受信し、受信した番組をモニタに出力する切換手段と、を備えることを特徴としている。
【０００７】
請求項２に記載の放送受信装置は、テレビジョン放送を受信し、外部から視認可能にモニタに出力すると共に、受信した情報を格納する情報記録装置と通信可能に接続された放送受信装置であって、外部からの操作を受け付けて、受け付けられた操作に基づいて番組の開始日時情報及び終了日時情報を設定する番組予約手段と、前記番組予約手段によって設定された開始日時に到達したか否かを判定する日時判定手段と、前記日時判定手段によって開始日時に到達したと判定された場合に、該放送受信装置が外部から視認可能にモニタに出力する状態である表示可能状態か否かを判定する表示可否判定手段と、前記表示可否判定手段によって表示可能状態ではないと判定された場合に、前記番組予約手段によって設定された番組を受信し、受信した番組を前記情報記録装置に対して録画させる予約録画手段と、を備えることを特徴としている。
【０００８】
請求項３に記載の放送受信装置は、請求項２に記載の放送受信装置であって、前記情報記録装置に対して、該情報記録装置を録画可能状態とする指示情報を通信可能に接続されていることを特徴としている。
【０００９】
請求項４に記載の放送受信装置は、請求項３に記載の放送受信装置であって、前記情報記録装置との間でＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を介して通信可能に接続され、前記予約録画手段が、前記ＨＤＭＩを介して、前記番組予約手段によって設定された番組を前記情報記録装置に対して録画させることを特徴としている。
【００１０】
請求項５に記載の放送受信装置は、請求項３に記載の放送受信装置であって、前記情報記録装置との間で赤外線通信を介して通信可能に接続され、前記予約録画手段が、前記赤外線通信を介して、前記番組予約手段によって設定された番組を前記情報記録装置に対して録画させることを特徴としている。
【００１１】
請求項６に記載の放送受信装置は、請求項３に記載の放送受信装置であって、前記情報記録装置と一体に構成されていることを特徴としている。
【００１２】
請求項７に記載の放送受信装置は、請求項２〜請求項６のいずれかに記載の放送受信装置であって、前記表示可否判定手段によって表示可能状態であると判定された場合に、前記番組予約手段によって設定された番組を受信し、受信した番組をモニタに出力する切換手段を備えることを特徴としている。
【発明の効果】
【００１３】
請求項１に記載のデジタル放送受信機によれば、リモートコントローラを介して、外部からの操作が受け付けられて、受け付けられた操作に基づいて番組の開始日時情報及び終了日時情報が設定され、設定された開始日時に到達したか否かを判定される。そして、開始日時に到達したと判定された場合に、該デジタル放送受信機が外部から視認可能にモニタに出力する状態である表示可能状態か否かが判定され、表示可能状態ではないと判定された場合に、設定された番組（＝視聴予約された番組）が受信され、受信された番組がＤＶＤレコーダに録画されるため、視聴予約された番組を確実に視聴することができる。
【００１４】
すなわち、デジタル放送受信機が表示可能状態ではないと判定された場合に、視聴予約された番組がＤＶＤレコーダに録画されるため、ＤＶＤレコーダに録画された番組を読み出して視認可能にモニタに出力することが可能となるので、視聴予約された番組を確実に視聴することができるのである。
【００１５】
また、ＨＤＭＩを介して、設定された番組（＝視聴予約された番組）がＤＶＤレコーダに録画されるため、ＤＶＤレコーダが電源ＯＦＦの状態（又は、スタンバイ状態）であっても、ＨＤＭＩを介して、ＤＶＤレコーダを表示可能状態（＝電源ＯＮの状態）に移行させ、視聴予約された番組を確実にＤＶＤレコーダに録画させることができる。
【００１６】
更に、デジタル放送受信機が表示可能状態であると判定された場合に、設定された番組（＝視聴予約された番組）が受信され、受信された番組がモニタに出力されるため、視聴予約された番組を容易に視聴することができる。
【００１７】
請求項２に記載の放送受信装置によれば、外部からの操作を受け付けられて、受け付けられた操作に基づいて番組の開始日時情報及び終了日時情報が設定され、設定された開始日時に到達したか否かを判定される。そして、開始日時に到達したと判定された場合に、該放送受信装置が外部から視認可能にモニタに出力する状態である表示可能状態か否かが判定され、表示可能状態ではないと判定された場合に、設定された番組（＝視聴予約された番組）が受信され、受信された番組が情報記録装置に録画されるため、視聴予約された番組を確実に視聴することができる。
【００１８】
すなわち、放送受信装置が表示可能状態ではないと判定された場合に、視聴予約された番組が情報記録装置に録画されるため、情報記録装置に録画された番組を読み出して視認可能にモニタに出力することが可能となるので、視聴予約された番組を確実に視聴することができるのである。
【００１９】
請求項３に記載の放送受信装置によれば、情報記録装置に対して、報記録装置を表示可能状態とする指示情報を通信可能に接続されているため、情報記録装置が電源ＯＦＦの状態（又は、スタンバイ状態）であっても、情報記録装置を表示可能状態（＝電源ＯＮの状態）に移行させ、視聴予約された番組を確実に情報記録装置に録画させることができる。
【００２０】
請求項４に記載の放送受信装置によれば、ＨＤＭＩを介して、設定された番組（＝視聴予約された番組）が情報記録装置に録画されるため、情報記録装置が電源ＯＦＦの状態（又は、スタンバイ状態）であっても、ＨＤＭＩを介して、情報記録装置を表示可能状態（＝電源ＯＮの状態）に移行させ、視聴予約された番組を確実に情報記録装置に録画させることができる。
【００２１】
請求項５に記載の放送受信装置によれば、赤外線通信を介して、設定された番組（＝視聴予約された番組）が情報記録装置に録画されるため、情報記録装置が電源ＯＦＦの状態（又は、スタンバイ状態）であっても、赤外線通信を介して、情報記録装置を表示可能状態（＝電源ＯＮの状態）に移行させ、視聴予約された番組を確実に情報記録装置に録画させることができる。
【００２２】
請求項６に記載の放送受信装置によれば、情報記録装置と一体に構成されているため、情報記録装置が電源ＯＦＦの状態（又は、スタンバイ状態）であっても、情報記録装置を表示可能状態（＝電源ＯＮの状態）に移行させ、視聴予約された番組を確実に情報記録装置に録画させることができる。
【００２３】
すなわち、放送受信装置が情報記録装置と一体に構成されているため、放送受信装置から情報記録装置に対して指示情報を容易に出力することができるので、視聴予約された番組を確実に情報記録装置に録画させることができるのである。
【００２４】
請求項７に記載の放送受信装置によれば、放送受信装置が表示可能状態であると判定された場合に、設定された番組（＝視聴予約された番組）が受信され、受信した番組がモニタに出力されるため、視聴予約された番組を容易に視聴することができる。
【発明を実施するための最良の形態】
【００２５】
以下に本発明の実施形態を、図面を参照しながら説明する。図１は、本発明に係るデジタル放送受信機の接続状態の一例を示す構成図である。デジタル放送受信機１（放送受信装置に相当する）は、リモートコントローラ（＝Ｒｅｍｏｔｅｃｏｎｔｒｏｌｌｅｒ：以下、「リモコン」という）２と赤外線通信を介して通信可能に接続され、ＤＶＤ（Ｄｉｇｉｔａｌ  Ｖｅｒｓａｔｉｌｅ  Ｄｉｓｋ）レコーダ３（情報記録装置に相当する）とＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブルを介して（＝ＨＤＭＩ規格を用いて）通信可能に接続されている。
【００２６】
デジタル放送受信機１は、リモコン２を介してユーザからの操作入力を受け付けて、テレビジョン放送を受信し、図２を用いて後述するディスプレイ１８３に出力すると共に、図２を用いて後述するスピーカ１６３を介して音声を出力するものである。また、デジタル放送受信機１は、ＨＤＭＩケーブルを介して、各種の指示情報及び受信した動画像情報等をＤＶＤレコーダ３へ出力するものである。
【００２７】
リモコン２（番組予約手段の一部に相当する）は、ユーザからの操作入力を受け付けて、操作入力に対応する赤外線信号を生成して、デジタル放送受信機１に対して出力するものである。
【００２８】
ＤＶＤレコーダ３は、ＨＤＭＩケーブルを介して、デジタル放送受信機１からの指示情報を受け付けると共に、デジタル放送受信機１からの動画像情報等をＤＶＤに記録するものである。
【００２９】
図２は、デジタル放送受信機１の構成の一例を示すブロック図である。デジタル放送受信機１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＭＩインターフェイス部１９を備えている。
【００３０】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３１】
操作部１４は、電源のＯＮ、ＯＦＦ操作、選局等の各種操作を受け付けるものである。また、操作部１４は、赤外線通信を介して、リモコン２からの操作信号を受け付けて、各種操作を受け付けるものである。受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３２】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３３】
音声出力部１６は、受信部１５によって受信されたテレビジョン放送（又は、ＤＶＤレコーダ３に格納された情報）に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００３４】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００３５】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００３６】
ＨＤＭＩインターフェイス部１９は、ＨＤＭＩケーブルを介してＤＶＤレコーダ３との間で、指示情報、動画像情報、音声情報等の種々の情報を送受信するものである。
【００３７】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３８】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、チャンネル情報等を含む制御情報からなり、この制御情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００３９】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介してディスプレイ１８３に動画像が表示される。
【００４０】
図３は、ＤＶＤレコーダ３の構成の一例を示すブロック図である。ＤＶＤレコーダ３は、ＭＰＵ３１、光ピックアップ３２、ＲＦ回路３３、外部インターフェイス部３４、ＨＤＭＩインターフェイス部３５、表示部３６、メモリ３７、及び、操作部３８を備えている。
【００４１】
ＭＰＵ３１は、ＤＶＤレコーダ３全体の動作を制御するものであって、ここでは、ＨＤＭＩインターフェイス部３５を介してデジタル放送受信機１からの指示情報を受け付けて、各種動作を行うと共に、ＨＤＭＩインターフェイス部３５を介してデジタル放送受信機１から動画像情報等の番組情報を受け付けてＤＶＤ−ＲＡＭ３００に格納するものである。
【００４２】
光ピックアップ３２は、ＤＶＤ−ＲＡＭ３００に対してレーザビームを照射してデータの書き込み（及び読み出し）を行うものである。ＲＦ回路３３は、光ピックアップ３２へ出力する（又は、光ピックアップ３２から出力される）ＲＦ（Ｒａｄｉｏ  Ｆｒｅｑｕｅｎｃｙ）信号を処理するものである。外部インターフェイス部３４は、外部入出力機器との間で、データの入出力を行う際のデータ形式の変換等を行うものである。ＨＤＭＩインターフェイス部３５は、ＨＤＭＩ規格に従って、ＨＤＭＩケーブルを介してデジタル放送受信機１との間で指示情報、動画像情報、音声情報等の種々の情報を送受信するものである。
【００４３】
表示部３６は、例えば、ＬＣＤ（Ｌｉｑｕｉｄ  Ｃｒｙｓｔａｌ  Ｄｉｓｐｌａｙ）等からなり、外部から視認可能にガイダンス情報、メッセージ情報、設定情報等の種々の情報を表示するものである。メモリ３７は、各種設定情報等を格納するものである。操作部３８は、種々の操作ボタンを備え、操作ボタンを介して外部からの操作入力を受け付けるものである。
【００４４】
図４は、本発明に係るデジタル放送受信機１の主要部の構成の一例を示すブロック図である。図２に示すＭＰＵ１１は、機能的に、番組予約部１１１、日時判定部１１２、表示可否判定部１１３、予約録画部１１４、及び、切換部１１５を備えている。
【００４５】
ここでは、ＭＰＵ１１が、図２に示すＲＯＭ１３等に予め格納された制御プログラムを読み出して実行することにより、番組予約部１１１、日時判定部１１２、表示可否判定部１１３、予約録画部１１４、切換部１１５等の機能部として機能するものである。
【００４６】
また、図２に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ、半導体メモリ等である。
【００４７】
番組予約部１１１（番組予約手段の一部に相当する）は、リモコン２を介して、ユーザからの操作を受け付けて、受け付けられた操作に基づいて番組の開始日時情報及び終了日時情報を設定するものである。なお、番組予約部１１１は、設定された開始日時情報及び終了日時情報を、図２に示すＲＡＭ１２に格納するものである。
【００４８】
日時判定部１１２（日時判定手段に相当する）は、番組予約部１１１によって設定された開始日時に到達したか否かを判定するものである。具体的には、日時判定部１１２は、時計機能を備え、ＲＡＭ１２に格納された開始日時情報と、現在時刻情報とを比較して、現在時刻がＲＡＭ１２に格納された開始日時に一致したか否か（又は、現在時刻がＲＡＭ１２に格納された開始日時の予め設定された所定時間前（例えば、開始日時の１分前）に到達したか否か）を判定するものである。
【００４９】
表示可否判定部１１３（表示可否判定手段に相当する）は、日時判定部１１２によって開始日時に到達したと判定された場合に、デジタル放送受信機１が外部から視認可能にディスプレイ１８３に出力可能な状態である表示可能状態であるか否かを判定するものである。具体的には、表示可否判定部１１３は、電源がＯＮ状態であって、且つ、スタンバイ状態ではない場合に表示可能状態であると判定するものである。すなわち、表示可否判定部１１３は、電源がＯＦＦ状態であるか、又は、スタンバイ状態である場合に表示可能状態ではないと判定するものである。
【００５０】
予約録画部１１４（予約録画手段に相当する）は、表示可否判定部１１３によって表示可能状態ではないと判定された場合に、番組予約部１１１によって設定された番組を図２に示す受信部１５を介して受信し、受信した番組を、ＨＤＭＩインターフェイス部１９を介してＤＶＤレコーダ３に対して録画させるものである。具体的には、予約録画部１１４は、表示可否判定部１１３によって表示可能状態ではないと判定された場合に、まず、ＤＶＤレコーダ３が録画可能状態であるか否かを判定するものである。そして、予約録画部１１４は、ＤＶＤレコーダ３が録画可能状態ではないと判定された場合には、ＤＶＤレコーダ３を録画可能状態とする指示情報を出力するものである。更に、予約録画部１１４は、ＤＶＤレコーダ３が録画可能状態となった場合に、受信した番組をＤＶＤレコーダ３に録画させるものである。
【００５１】
ここで、予約録画部１１４は、ＤＶＤレコーダ３の電源がＯＮ状態であって、且つ、スタンバイ状態ではない場合に、録画可能状態であると判定するものである。すなわち、予約録画部１１４は、ＤＶＤレコーダ３の電源がＯＦＦ状態であるか、又は、スタンバイ状態である場合に、録画可能状態ではないと判定するものである。また、予約録画部１１４は、ＤＶＤレコーダ３の電源がＯＦＦ状態である場合には、録画可能状態とする指示情報として、電源がＯＮの状態とする指示情報を、ＨＤＭＩインターフェイス部１９を介してＤＶＤレコーダ３に対して出力し、ＤＶＤレコーダ３がスタンバイ状態である場合には、録画可能状態とする指示情報として、スタンバイ状態から復帰させる（＝電源がＯＮの状態とする）指示情報を、ＨＤＭＩインターフェイス部１９を介してＤＶＤレコーダ３に対して出力するものである。
【００５２】
切換部１１５（切換手段に相当する）は、表示可否判定部１１３によって表示可能状態ではあると判定された場合に、番組予約部１１１によって設定された番組を図２に示す受信部１５を介して受信し、受信した番組を図２に示すディスプレイ１８３に出力するものである。
【００５３】
図５は、デジタル放送受信機１（主にＭＰＵ１１）の動作の一例を示すフローチャートである。なお、ここでは、便宜上、予め番組予約部１１１によって番組が設定されている（＝視聴予約されている）場合について説明する。まず、日時判定部１１２によって、視聴予約されている番組の開始日時に到達したか否かが判定される（Ｓ１０１）。開始日時に到達していないと判定された場合（Ｓ１０１でＮＯ）には、処理が待機状態とされる。開始日時に到達したと判定された場合（Ｓ１０１でＹＥＳ）には、表示可否判定部１１３によって、表示可能状態であるか否かの判定が行われる（Ｓ１０３）。
【００５４】
表示可能状態であると判定された場合（Ｓ１０３でＹＥＳ）には、切換部１１５によって、視聴予約されている番組が受信され（＝図２に示すチューナ部１５２を介して視聴予約されている番組に対応するチャンネルが選局され）、受信された番組がディスプレイ１８３に出力され（Ｓ１０５）、処理が終了される。
【００５５】
表示可能状態ではないと判定された場合（Ｓ１０３でＮＯ）には、予約録画部１１４によって、ＤＶＤレコーダ３が録画可能状態（＝ＯＮ状態）であるか否かが判定される（Ｓ１０７）。ＤＶＤレコーダ３が録画可能状態（＝ＯＮ状態）であると判定された場合（Ｓ１０７でＹＥＳ）には、処理がステップＳ１１１に進められる。ＤＶＤレコーダ３が録画可能状態（＝ＯＮ状態）ではない（＝電源がＯＦＦの状態であるか、又は、スタンバイ状態である）と判定された場合（Ｓ１０７でＹＥＳ）には、予約録画部１１４によって、ＤＶＤレコーダ３を録画可能状態（＝ＯＮ状態）とする指示情報が出力され、ＤＶＤレコーダ３が録画可能状態（＝ＯＮ状態）とされる（Ｓ１０９）。
【００５６】
ステップＳ１０９の処理が終了した場合、又は、ステップＳ１０７でＹＥＳの場合には、予約録画部１１４によって、視聴予約された番組が受信される（Ｓ１１１）。そして、予約録画部１１４によって、受信された番組が、ＨＤＭＩインターフェイス部１９を介してＤＶＤレコーダ３に録画され（Ｓ１１３）、処理が終了される。
【００５７】
このようにして、リモコン２を介して、ユーザからの操作が受け付けられて、受け付けられた操作に基づいて番組の開始日時情報及び終了日時情報が設定され、設定された開始日時に到達したか否かを判定される。そして、開始日時に到達したと判定された場合に、デジタル放送受信機１が外部から視認可能にディスプレイ１８３に出力する状態である表示可能状態か否かが判定され、表示可能状態ではないと判定された場合に、設定された番組（＝視聴予約された番組）が受信され、受信された番組がＤＶＤレコーダ３に録画されるため、視聴予約された番組を確実に視聴することができる。
【００５８】
すなわち、デジタル放送受信機１が表示可能状態ではないと判定された場合に、視聴予約された番組がＤＶＤレコーダ３に録画されるため、ＤＶＤレコーダ３に録画された番組を読み出して視認可能にディスプレイ１８３に出力することが可能となるので、視聴予約された番組を確実に視聴することができるのである。
【００５９】
また、ＨＤＭＩを介して、設定された番組（＝視聴予約された番組）がＤＶＤレコーダ３に録画されるため、ＤＶＤレコーダ３が電源ＯＦＦの状態（又は、スタンバイ状態）であっても、ＨＤＭＩを介して、ＤＶＤレコーダ３を電源ＯＮの状態（＝録画可能状態）に移行させ、視聴予約された番組を確実にＤＶＤレコーダ３に録画させることができる。
【００６０】
更に、デジタル放送受信機１が表示可能状態であると判定された場合に、設定された番組（＝視聴予約された番組）が受信され、受信された番組がディスプレイ１８３に出力されるため、視聴予約された番組を容易に視聴することができる。
【００６１】
なお、本発明は、以下の形態にも適用可能である。
（Ａ）本実施形態では、放送受信装置が、デジタル放送受信機１である場合について説明したが、放送受信装置が、テレビジョン放送を受信し、外部から視認可能にディスプレイ１８３に出力するであればよい。例えば、放送受信装置が、アナログ放送を受信する形態でもよいし、アナログ放送及びデジタル放送を受信する形態でもよい。
【００６２】
（Ｂ）本実施形態では、情報記録装置が、ＤＶＤレコーダ３である場合について説明したが、情報記録装置が、テレビジョン放送を受信して得られた情報を記録媒体に格納可能に構成された装置であればよい。例えば、情報記録装置が、ビデオテープレコーダ、ＨＤＤ（Ｈａｒｄ  Ｄｉｓｋ  Ｄｒｉｖｅ）を備えたパーソナルコンピュータ等である形態でもよい。
【００６３】
（Ｃ）本実施形態では、デジタル放送受信機１が、ＤＶＤレコーダ３とＨＤＭＩを介して通信可能に接続される場合について説明したが、その他のインターフェイスで通信可能に接続される形態でもよい。また、デジタル放送受信機１が、ＤＶＤレコーダ３を録画可能状態とする指示情報を、ＤＶＤレコーダ３に対して通信可能に接続されていることが好ましい。
【００６４】
例えば、デジタル放送受信機１が、ＤＶＤレコーダ３と赤外線通信を介して、ＤＶＤレコーダ３を録画可能状態とする指示情報を、ＤＶＤレコーダ３に対して通信可能に接続される形態でもよい。また、例えば、デジタル放送受信機１が、ＤＶＤレコーダ３と一体に構成されている形態（すなわち、「ビデオ一体型テレビ」として構成されている形態）でもよい。
【００６５】
（Ｄ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【００６６】
（Ｅ）本実施形態では、番組予約部１１１が、リモコン２を介してユーザからの操作を受け付ける場合について説明したが、番組予約部１１１が、操作部１４を介してユーザからの操作を受け付ける形態でもよい。
【図面の簡単な説明】
【００６７】
【図１】は、本発明に係るデジタル放送受信機の接続状態の一例を示す構成図である。
【図２】は、デジタル放送受信機の構成の一例を示すブロック図である。
【図３】は、ＤＶＤレコーダの構成の一例を示すブロック図である。
【図４】は、本発明に係るデジタル放送受信機の主要部の構成の一例を示すブロック図である。
【図５】は、デジタル放送受信機（主にＭＰＵ）の動作の一例を示すフローチャートである。
【符号の説明】
【００６８】
１    デジタル放送受信機（放送受信装置）
１１    ＭＰＵ
１１１    番組予約部（番組予約手段の一部）
１１２    日時判定部（日時判定手段）
１１３    表示可否判定部（表示可否判定手段）
１１４    予約録画部（予約録画手段）
１１５    切換部（切換手段）
１８    画像出力部
１８３    ディスプレイ
１９    ＨＤＭＩインターフェイス部
２    リモコン（番組予約手段の一部）
３    ＤＶＤレコーダ（情報記録装置）
【図１】
2008118507.tif 000003
【図２】
2008118507.tif 000004
【図３】
2008118507.tif 000005
【図４】
2008118507.tif 000006
【図５】
2008118507.tif 000007